(57)【要約】喉頭気道デバイス（１０）は、気道チューブ（１００）およびドーム（３００）を有する。気道チューブ（１００）は、この気道チューブの壁内に、カフ膨張ライン（４００）を受容するための内部通路（１０２）を有する。ドーム（３００）は、入口および出口を有し、ここでそのドームは、その気道チューブの遠位端と、ドームの入口で連結される。このデバイスはまた、環状のスプーン形状の膨張可能なカフ（２００）であって、そのドームの出口の周囲と連結されている、カフ；そのカフの内部空間と流体連通するように構成されている、カフ膨張ライン；ならびにそのドーム内に形成される複数のローブの付いた開口部（３０２）を備える。
2007528273.tif 000002
【特許請求の範囲】
【請求項１】
喉頭気道デバイスであって、該デバイスは、
近位端および遠位端を有する気道チューブであって、該気道チューブは、該気道チューブの壁内に内部通路を有する、気道チューブ；
入口および出口を有するドームであって、該ドームは、該ドームの入口で、該気道チューブの該遠位端と連結されている、ドーム；
環状のスプーン形状の膨張可能なカフであって、該カフは、該ドームの該出口の周囲と連結されている、カフ；
近位端および遠位端を有するカフ膨張ラインであって、該カフ膨張ラインは、該カフの内部空間と流体連通するように構成されている、カフ膨張ライン；ならびに
該ドーム内に形成される複数のローブを有する開口部であって、該開口部は、該気道チューブの該近位端と流体連通するように構成され、該ドームは、該開口部を形成する複数の突出部を有し、そして該突出部のうちの１つが、該デバイスが患者に挿入される場合に、該患者の喉頭蓋による該開口部の閉塞を防ぐように構成されている、開口部、
を備える、デバイス。
【請求項２】
前記突出部のうちの１つが、可撓性のフラップを備える、請求項１に記載のデバイス。
【請求項３】
前記突出部のうちの１つよりも、該突出部のうちの他が可撓性でない、請求項１に記載のデバイス。
【請求項４】
前記突出部のうちの１つが、該突出部のうちの他のものよりも大きい、請求項１に記載のデバイス。
【請求項５】
前記複数のローブのうちの複数が細長い、請求項１に記載のデバイス。
【請求項６】
請求項１に記載のデバイスであって、該デバイスは、前記ドームの前記出口の前記遠位端と連結された突出しているドーム先端部をさらに備え、該突出しているドーム先端部の遠位端は、前記カフの前記内部空間内に配置され、かつ該内部空間と流体連通している、デバイス。
【請求項７】
前記ドームがさらに溝を備え、かつ前記カフ膨張ラインが該溝にはまるように構成されている、請求項１に記載のデバイス。
【請求項８】
請求項１に記載のデバイスであって、前記ドームの前記出口は、トレー部分をさらに備え、かつ該カフは、前記環状の形状のカフの内面にチャネルをさらに備え、該チャネルは、該ドームの該出口の周囲と該トレー部分にて連結されている、デバイス。
【請求項９】
請求項１に記載のデバイスであって、前記カフの外面は外側の突出部がないように形成され、該カフは、該カフの内面上に形成されるその遠位端に、鋳型抽出オリフィスをさらに備え、前記カフ膨張ラインは、該鋳型抽出オリフィスを備える開いた部分にて該カフの前記内部空間と流体連通するように構成されている、デバイス。
【請求項１０】
前記気道チューブの前記近位端に連結される取り外し可能なコネクタをさらに備える、請求項１に記載のデバイス。
【請求項１１】
前記カフ膨張ラインが、前記カフの遠位端にて該カフの内部空間と流体連通するように構成され；そして
膨張ライン挿入点が前記気道チューブの前記近位端から遠位にずれており、該挿入点は近位端であり、前記内部通路と一体である、請求項１に記載のデバイス。
【請求項１２】
前記カフ膨張ラインの全長の一部が、前記通路内に配置される、請求項１１に記載のデバイス。
【請求項１３】
喉頭気道デバイスであって、該デバイスは、以下：
近位端および遠位端を有する気道チューブであって、該気道チューブは、該気道チューブの壁内に内部通路を有する、気道チューブ；
入口および出口を有するドームであって、該ドームは、該ドームの入口で該気道チューブの該遠位端と連結される、ドーム；
環状のスプーン形状の膨張可能なカフであって、該カフは、該ドームの該出口の周囲に連結されている、カフ；
近位端および遠位端を有するカフ膨張ラインであって、該カフ膨張ラインは、該カフの内部空間と流体連通するように構成されている、カフ膨張ライン；ならびに
該ドームの該出口の該遠位端と連結される突出しているドーム先端部であって、該突出しているドーム先端部の遠位端は、該カフの該内部空間内に位置し、かつ該内部空間と流体連通している、ドーム先端部、
を備える、デバイス。
【請求項１４】
請求項１３に記載のデバイスであって、前記カフが前記突出しているドーム先端部の前記遠位端に隣接する場合に、該突出しているドーム先端部に該カフの前記内部空間との流体連通を維持させるように、該突出しているドーム先端部がその遠位端にスリットを備える、デバイス。
【請求項１５】
請求項１３に記載のデバイスであって、該デバイスが患者に挿入されるときに、前記カフがそれ自体の上に折り返されるのを防ぐように、前記突出しているドーム先端部が、該カフよりも弾性ではない、デバイス。
【請求項１６】
喉頭気道デバイスであって、該デバイスは、以下：
近位端および遠位端を有する気道チューブであって、該気道チューブは、該気道チューブの壁内に内部通路を有する、気道チューブ；
入口および出口を有するドームであって、該ドームは、該ドームの入口で該気道チューブの該遠位端と連結され、該出口はトレー部分を有する、ドーム；
環状のスプーン形状の膨張可能なカフであって、該カフは該環状の形状のカフの内面上にチャネルを有し、該チャネルは該トレー部分で該ドームの該出口の周囲と連結されている、カフ；ならびに
近位端および遠位端を有するカフ膨張ラインであって、該カフ膨張ラインは、該カフの該内部空間と流体連通するように構成されている、カフ膨張ライン、
を備える、デバイス。
【請求項１７】
喉頭気道デバイスであって、該デバイスは、以下：
近位端および遠位端を有する気道チューブであって、該気道チューブは、該気道チューブの壁内に内部通路を有する、気道チューブ；
入口および出口を有するドームであって、該ドームは、該ドームの入口で該気道チューブの該遠位端と連結されている、ドーム；
環状のスプーン形状の膨張可能なカフであって、該カフは、該ドームの該出口の周囲と連結され、カフ該カフの外面は、外側の突出部がないように形成され、該カフは、該カフの内面上に形成されたその遠位端に鋳型抽出オリフィスを備える、カフ；ならびに
近位端および遠位端を有するカフ膨張ラインであって、該カフ膨張ラインは、該鋳型抽出オリフィスを備える開いた部分にて該カフの内部空間と流体連通するように構成されている、カフ膨張ライン、
を備える、デバイス。
【請求項１８】
喉頭気道デバイスであって、該デバイスは、以下：
近位端および遠位端を有する気道チューブであって、該気道チューブは、該気道チューブの壁内に内部通路を有する、気道チューブ；
入口および出口を有するドームであって、該ドームは、該ドームの入口で該気道チューブの該遠位端と連結されている、ドーム；
環状のスプーン形状の膨張可能なカフであって、該カフは、該ドームの該出口の周囲と連結されている、カフ
近位端および遠位端を有するカフ膨張ラインであって、該カフ膨張ラインは、該カフの内部空間と流体連通するように構成されている、カフ膨張ライン；ならびに
該気道チューブの該近位端と連結される、取り外し可能なコネクタ、
を備える、デバイス。
【請求項１９】
喉頭気道デバイスであって、該デバイスは、以下：
近位端および遠位端を有する気道チューブであって、該気道チューブは、該気道チューブの壁内に内部通路を有する、気道チューブ；
入口および出口を有するドームであって、該ドームは、該ドームの入口で該気道チューブの該遠位端と連結される、ドーム；
環状のスプーン形状の膨張可能なカフであって、該カフは、該ドームの該出口の周囲と連結されている、カフ；
近位端および遠位端を有するカフ膨張ラインであって、該カフ膨張ラインは、該カフの遠位端で該カフの内部空間と流体連通するように構成されている、カフ膨張ライン；ならびに
該気道チューブの該近位端から遠位にずれた膨張ライン挿入点であって、該挿入点は近位端であり、該内部通路と一体である、膨張ライン挿入点、
を備える、デバイス。
【請求項２０】
前記カフ膨張ラインの全長の一部が、前記通路内に配置される、請求項１９に記載のデバイス。
【発明の詳細な説明】
【技術分野】
【０００１】
（発明の背景）
本発明は、喉頭気道デバイスに関する。より具体的には、本発明は、喉頭気道デバイスのための改善された幾何学的な構成および設計の構成に関する。
【背景技術】
【０００２】
患者への麻酔ガスおよび換気ガスの投与のための、喉頭マスクとして知られる気道デバイスを使用することが、一般的な習慣である。これらの気道デバイスは、一端に膨張可能なマスクまたはカフを有するチューブを備える。このチューブが患者の口に挿入され、その結果、一端が下咽頭に位置し、それによりそのマスクがこの領域において周囲の組織とシールを形成する。喉頭マスクは、多くの供給元から提供される。
【０００３】
喉頭気道デバイスは、気管挿管とフェースマスクとの間の間隙を埋めるデバイスである。この喉頭気道デバイスは、咽頭に盲目的に挿入され、喉頭入口の周りに低圧のシールを形成する。これは気道を最小限に刺激し、したがって喉頭鏡検査に関する望ましくない交感神経の刺激を回避する。この喉頭気道デバイスは、成人および小児の両方において麻酔の間に気道を確立する方法を提供し、困難な気道の管理において有用な役割を果たす。
【０００４】
図１に示されるように、一般的な喉頭気道デバイスは、いずれの部分にもラテックスを含まない医療グレードのシリコーンゴムから構成される。これにより、この喉頭気道デバイスは、度重なるオートクレーブに耐えることが可能になる。このデバイスは、その喉頭気道デバイスのサイズに依存して、内径が５．２５ｍｍ〜１２ｍｍの範囲の、シャフトまたは気道チューブ１を有する。このシャフトは、小型のフェースマスクに類似している膨張可能な縁またはカフを有する、遠位の楕円形のスプーン形状のマスク２と、ある角度で融合される。このシャフトは、開口部を介して、楕円の凹面に開口する。この開口部は、その開いた部分を横切る開口部の棒３を有し、喉頭蓋が倒れて管腔を遮断するのを防ぐ。種々の異なるサイズの喉頭気道デバイスが利用可能であり、新生児の患者から成人患者まで、異なるサイズの患者に適合する。
【０００５】
適切に配置される場合、喉頭気道デバイスのカフの先端部は、食道括約筋上部と反対を向いて下咽頭の基部に位置し、側面は梨状陥凹に位置し、マスクの上部の境界は舌の基部に位置して、舌を前に押している。喉頭蓋は、しばしば喉頭気道デバイスのボウルの中に位置するが、そのデバイスは、喉頭蓋が水平に直立するか下向きに折れた位置にあっても十分に機能する。カフが喉頭への開口部の周りにある場合、シリンジがバルブ４と連結して、膨張ライン５を介してカフに空気を注入してカフを膨張させ、その結果、そのカフと喉頭との間にギャップは存在しない。膨張ライン５は、膨張ライン入口８でカフ２に達し、この入口８は代表的に、カフ２の形成の間に使用される鋳型抽出点またはオリフィスでもある。膨張ラインバルーン６は、カフの膨張の程度を反映する。代表的に、上記気道チューブは、その近位端に固定して取り付けられた１５ｍｍのコネクタ７を備える。
【０００６】
しかし、既存の喉頭気道デバイスは、種々の欠点に悩まされている。例えば、気道の開いた部分を横切る開口部の棒は、他のデバイス（例えば、気管支鏡および／または気管内チューブ）の気道通路への侵入を妨げる。スプーン形状のカフは、別個の膨張ラインによって、その近位端にて膨張される。いくつかのデバイスにおいて、カフの近位端における膨張ラインの入口はまた、カフの形成のために使用された鋳型抽出オリフィスと同じものであり、そしてそのカフの表面から外に向かう突出部は、カフに対して滑らかではない外面をもたらす。喉頭気道デバイスが患者の気道に挿入される場合、別個の膨張ラインは、注意深く扱われる必要がある。喉頭気道デバイスが挿入される際に、カフがそれ自体の上に折り返ることが多く報告されている。折れたカフにより、カフが適切に膨張されることが妨げられ、それによりそのデバイスの有効な配置を妨げる。加えて、上記気道チューブの近位端に一般的に配置される１５ｍｍコネクタもまた、その気道チューブへの他のデバイスの挿入を妨げ得る。
【発明の開示】
【発明が解決しようとする課題】
【０００７】
したがって、これらの欠点によって悩まされない改善された喉頭気道デバイスに対する必要性が存在する。
【課題を解決するための手段】
【０００８】
（発明の簡単な要旨）
本発明は、喉頭気道デバイスに関する。１つの実施形態において、本発明は、気道チューブを有する喉頭気道デバイスを提供する。この気道チューブは、カフ膨張ラインを受容するために気道チューブの壁内に内部通路を有する。このデバイスはまた、入口および出口を有するドームであって、そのドームの入口で気道チューブの遠位端と連結される、ドーム；そのドームの出口の周囲と連結される環状のスプーン形状の膨張可能なカフ；そのカフの内部空間と流体連通するように構成されているカフ膨張ライン；ならびにそのドーム内に形成される複数のローブの付いた開口部、を有する。その開口部は、気道チューブの近位端と流体連通するように構成されている。このドームはまた、複数のローブの付いた開口部を形成する数個の突出部を有し、その結果、そのデバイスが患者に挿入されるときに、患者の喉頭蓋による開口部の閉塞を防ぐように構成されている。
【０００９】
１つの局面において、そのデバイスはまた、ドームの出口の遠位端と連結される突出しているドーム先端部を備える。この突出しているドーム先端部の遠位端は、カフの内部空間内に配置され、この内部空間と流体連通する。
【００１０】
別の局面において、上記ドームはまた、ドーム内にカフ膨張ラインを保持するように構成されている溝を備える。
【００１１】
別の局面において、そのドームの出口はトレー部分をさらに備え、そして上記カフは、上記環状の形状のカフの内面上にチャネルをさらに備え、これによって、このチャネルがそのトレー部分でドームの出口の周囲と連結される。
【００１２】
別の局面において、そのカフの外面は、外側の突出部がないように形成される。カフはまた、その遠位端に鋳型抽出オリフィスを備え、このオリフィスはそのカフの内面上に形成され、そしてカフ膨張ラインは、この鋳型抽出オリフィスを備える開口部でカフの内部空間と流体連通するように構成されている。
【００１３】
別の局面において、上記デバイスはまた、気道チューブの近位端で連結される取り外し可能なコネクタを備える。
【００１４】
別の局面において、カフ膨張ラインは、カフの遠位端でカフの内部空間と流体連通するように構成されている。このデバイスはまた、気道チューブの近位端から遠位にずれた膨張ライン挿入点を備え、その挿入点は、近位端として機能し、内部通路と一体である。
【００１５】
本発明の性質および利点のさらなる理解については、添付の図面と併せて、以下の説明への参照がなされるべきである。
【発明を実施するための最良の形態】
【００１６】
（発明の詳細な説明）
図２は、本発明の実施形態に従う喉頭気道デバイス１０の斜視図である。気道チューブ１００は、そのチューブの遠位端でドーム３００と連結する。そのチューブ１００の近位端で、チューブ１００は、取り外し可能なコネクタ１０４と連結される。コネクタをチューブに接着して取り付ける、より一般的な方法とは対照的に、コネクタ１０４は、適所に圧力ばめされ、チューブ１００とは接着しては取り付けられない。この様式において、コネクタ１０４は、容易に取り外し可能であり、例えば気道チューブ１００を通る気管内チューブまたは気管支鏡のような別のデバイスの挿入を可能にする。気管内挿管は、チューブを気管に導入して、酸素、ガス状の医薬、もしくは麻酔薬を投与するための開いた気道を提供し；これはまた、妨害物を除去するためかまたは内壁を見るためにもなされる。したがって、このコネクタ１０４の取り外しを可能にすることにより、配置された喉頭気道デバイスはまた、気管内挿管を容易にし得る。カフ２００は、ドーム３００と連結する。ドーム３００は、複数のローブの形状の開口部を有し、以下にさらに詳細に記載される。膨張ライン４００は、膨張ライン挿入位置４０７においてチューブ１００に入り、チューブ１００を通り抜ける。膨張ライン４００は、チューブ１００を通って、ドーム３００における溝を通り、そしてカフの遠位端でカフと連結する。カフ２００は、突出部が何もない滑らかな外面を有する。シリンジがバルブ４０４と連結するのに使用され、カフを膨らませるための空気でカフを満たす。バルブ４０４は逆止弁であり、そのカフからの空気の受動的な逆流を防ぐ。バルブ４０４の下流に連結される膨張バルーン４０２は、そのカフの膨張レベルの指標を提供する。膨張ライン挿入位置４０７は、チューブ１００の近位端からずれており、近位端を切断する必要がある場合でさえ、デバイスの操作を可能にする。チューブ１００の近位端からの膨張ライン挿入位置４０７のずれにより、かなりの部分のチューブ１００が切断されること、かつなおそのカフの膨張操作または収縮操作に不利に影響しないことが可能になる。
【００１７】
図３は、図２のデバイスの遠位端の底部または気道側の詳細図である。図３は、ドーム３００で終わるチューブ１００を示す。このドームは、開口部または開いた部分３０２およびその上部に沿う溝を有する。この溝は、上記膨張ライン４００を受容するように構成される。この膨張ライン４００は、その溝に沿って通り、コネクタ４０６に達する。このコネクタ４０６は、カフ２００を膨張させるために空気を送達するのに使用される。開口部は、好ましくは細長い、複数のローブを有する。そのローブを規定するのは、このローブを分ける突出部である。その突出部のうちの１つは、近位端に形成される。この突出部は、好ましくは舌の形状をした、可撓性のフラップを備え、他の突出部よりも大きい。より小さい突出部は、好ましくはより可撓性ではないかまたはそのフラップよりも堅い。開口部３０２はこの様式の形状であり、喉頭蓋の気道の閉塞を防ぐのを助ける。加えて、（より一般的な、このような開いた部分を完全に横切って延びる棒とは反対に）複数のローブの付いた設計の突出部により、他のデバイス（例えば、気管支鏡または気管内チューブ）の気道通路への侵入が可能になる。そのような他のデバイスがその気道通路に侵入している場合は、フラップが屈曲して喉頭蓋を押し返し、その気管支鏡または他のデバイスの気道への効率的な挿入を可能にする。いずれの突出部も、その気道の開いた部分を完全に横切るまでは延びない。その突出部は、上記ドームと一体で成形され得る。
【００１８】
カフ２００は、公知の技術を使用して上記ドームに取り付けられる。加えて、そのカフは、その内面上にチャネル２０２を備える。チャネル２０２は、そのドームの下部側の相補的な（ｃｏｍｐｌｉｍｅｎｔａｒｉｌｙ）形状のトレー４１２（図４に示される）と結合するように構成される。このチャネル２０２およびトレー４１２は、一緒になって、改善された結合表面を提供する。この結合表面は、そのカフをそのドームと接着するためのより確実な構造を提供する。チャネルとトレーとの配置はまた、スプーン形状のカフとドームとの間が中央ではまることを可能にすることにより、適切な機械ばめ（ｍｅｃｈａｎｉｃａｌ  ｆｉｔ）を確実にする。チャネルとトレーとの配置はまた、そのカフとそのドームとの、より繰り返し可能な組み立てを可能にする。
【００１９】
図４は、カフ２００を除いて示された、図３の詳細図である。上述のように、図４は、ドーム３００で終わるチューブ１００を示す。（少なくとも部分的に）ドームを囲むのがトレー４１２である。（図３に示される）チャネル２０２およびトレー４１２は、一緒になって、改善された結合表面を提供する。この結合表面は、カフをドームと接着するためのより確実な構造を提供する。このトレー４１２は、ドーム３００と一体で形成されてもよいし、ドーム３００と接着されるかまたは結合される別個の小片であってもよい。このドーム３００は、複数のローブの付いた開口部３０２およびそのドームの上部に沿っている溝を有する。その溝は、膨張ライン４００を受容するように構成される。膨張ライン４００は、コネクタ４０６に達し、このコネクタ４０６は、カフ２００を膨張させるために空気を送達するのに使用される。複数のローブの付いた開口部３０２は、この様式の形状であり、喉頭蓋の気道の閉塞を防ぐのを助ける。コネクタ４０６と連結し、コネクタ４０６から延びる、突出しているドーム先端部４０８もまた示される。この突出しているドーム先端部４０８は、上記カフの遠位端でそのカフの内部にはまり、挿入の間にカフが折れ曲がることを防ぐのを助ける。１つの実施形態において、突出しているドーム先端部４０８は、デバイスが患者に挿入されているときにカフがそれ自身の上に折れ返されることを防ぐのを助けるために、カフよりも弾性ではない。１つの実施形態において、突出しているドーム先端部４０８は、その遠位端に交差切断構造または側面スリット４１０を有し、起こり得る空気の閉塞を防ぐのを助ける。この空気の閉塞は、特に喉頭起動デバイスの取り外しの間に起こり、そのドーム先端部４０８の遠位端に対して上記カフの内壁が隣接して配置することによって引き起こされ得る。カフの内面がドーム先端部に対して保持されるときでさえも、そのカフと空気膨張ラインとの間の空気の流れを可能にする、他のスリットまたは切断形態が企図され得る。このような切断形態としては、スロット、Ｐｈｉｌｉｐｓ型スロット、星型などが挙げられる。図５は、図４のデバイスの別の斜視図である。
【００２０】
図６は、図３のデバイスの上面図である。図６は、ドーム３００の遠位端で終わるチューブ１００を示す。このドーム３００は、相補的な（ｃｏｍｐｌｉｍｅｎｔａｒｉｌｙ）スプーン形状のカフ２００により取り囲まれる。カフ２００は、一般的な先行技術のデバイス（図１を参照のこと）とは対照的に、滑らかな外面を有し、そのカフの外面から外に突出する突起によって引き起こされ得る外傷を防ぐのを助ける。鋳型抽出オリフィス２０４は、カフ２００の（例えば図１に示されるような近位外部端の代わりに）遠位内部端に位置し、ドーム挿入の位置と同じ位置にあり、カフの外面が滑らかであることを確実にする。さらに、ドーム挿入位置と同じ位置に配置される鋳型抽出オリフィス２０４を有することにより、本発明の実施形態に従う喉頭気道デバイスのための単純な製造プロセスが確実になり、したがって生産のスループットを向上させ、各ユニットの費用を低下させる。
【００２１】
図７は、本発明の実施形態に従う喉頭気道デバイスの遠位端の詳細な断面図である。図７は、その遠位端でドーム３００と連結されたチューブ１００を示す。このチューブは、そのチューブ内に形成される通路１０２を有し、空気膨張ライン４００を受容する。そのチューブ１００における通路１０２を通り抜ける空気膨張ラインは、ドーム３００における溝３０２に続き、突出しているドーム先端部４０８で終わる。そのドーム先端部４０８は、カフ２００の内部にはまり、そのカフを膨張または収縮させるための流路を提供する。
【００２２】
図８は、本発明の実施形態に従う喉頭気道デバイスのカフ２００の詳細図である。カフ２００は、その内面上にチャネル２０２を備える。チャネル２０２は、ドーム３００の下部側の相補的な（ｃｏｍｐｌｉｍｅｎｔａｒｉｌｙ）形状のトレー４１２（図４に示される）と結合するように構成される。カフ２００は、上記のように、そのカフの外面上にどのような突出部も有さずに形成される。
【００２３】
図９は、本発明の実施形態に従う喉頭気道デバイスの気道チューブ１００の実施形態の図である。図９は、通路１０２を備える気道チューブ１００を示す。この通路１０２は、空気膨張ライン４００（図２に示される）を受容するように構成される。さらに、図９は、チューブ１００の近位端からずれて形成された膨張ライン挿入位置４０７を示す。膨張ライン４００（図２に示される）は、膨張ライン挿入位置４０７でチューブ１００に侵入し、チューブ１００を通り抜け、上記カフと連結して、そのカフを膨張または収縮させる。
【００２４】
本明細書中に記載される改善されたデバイスは、例えば医療等級のＰＶＣのような、医療等級のプラスチック材料を使用して製造される。本明細書中に記載される改善されたデバイスの新規の特徴は、全てが１つの喉頭気道デバイスにおいて組み合され得るか、あるいは異なる喉頭気道デバイス一式が製造され得、それぞれが本明細書中に記載されている新規の特徴の１つまたはその組み合わせを有する。本発明の実施形態に従う種々の異なるサイズのデバイスが、新生児の患者から成人の患者まで、異なるサイズの患者に適合するように提供されることもまた企図される。
【００２５】
当業者に理解されるように、本発明は、その本質的な特性から逸脱せずに他の具体的な形態において体現され得る。例えば、本発明の実施形態に従うデバイスは、種々の異なる材料を使用して、そして多くの異なるサイズで作製され得る。これらの他の実施形態は、上述の特許請求の範囲に記載される本発明の範囲に含まれることが意図される。
【図面の簡単な説明】
【００２６】
【図１】図１は、先行技術の喉頭気道デバイスの図である。
【図２】図２は、本発明の実施形態に従う喉頭気道デバイスの斜視図である。
【図３】図３は、図２のデバイスの遠位端の底部または気道側の詳細図である。
【図４】図４は、カフなしで示される、図３の詳細図である。
【図５】図５は、図４のデバイスの別の斜視図である。
【図６】図６は、図３のデバイスの上面図である。
【図７】図７は、本発明の実施形態に従う喉頭気道デバイスの遠位端の詳細な断面図である。
【図８】図８は、本発明の実施形態に従う喉頭気道デバイスのカフの詳細図である。
【図９】図９は、本発明の実施形態に従う喉頭気道デバイスの気道チューブの実施形態の図である。
【図１】
2007528273.tif 000003
【図２】
2007528273.tif 000004
【図３】
2007528273.tif 000005
【図４】
2007528273.tif 000006
【図５】
2007528273.tif 000007
【図６】
2007528273.tif 000008
【図７】
2007528273.tif 000009
【図８】
2007528273.tif 000010
【図９】
2007528273.tif 000011
【国際調査報告】
2007528273.tif 000012
2007528273.tif 000013
2007528273.tif 000014
2007528273.tif 000015
2007528273.tif 000016
2007528273.tif 000017